(57)【特許請求の範囲】
【請求項１】
ＤＭＴ（Discrete Multi-tone）駆動信号によって変調した光信号を送信する光送信器と、
前記光信号が入力される波長可変光フィルタと、
前記波長可変光フィルタを透過した光信号のパワーをモニタするパワーモニタと、
前記波長可変光フィルタの透過特性を制御する制御部と、
前記制御部によって前記透過特性を変化させたときに前記パワーモニタでモニタされるパワーの変化を検出する検出部と、を備え、
前記制御部は、
前記検出部で検出された前記パワーの変化に基づいて前記光信号のキャリア成分を識別し、該キャリア成分を含み、かつ、前記光信号の上側波帯及び下側波帯のいずれか一方の少なくとも一部を前記波長可変光フィルタで除去するように、前記波長可変光フィルタの透過特性と前記キャリア成分の周波数との相対関係を制御する、光伝送システム。
【請求項２】
前記相対関係の制御は、
一定の帯域幅を有し、前記波長可変光フィルタを透過する光信号の波長帯域を長波長側にシフトさせ、
前記検出部によって前記キャリア成分のパワーと前記波長可変光フィルタを透過した光信号の成分うち前記キャリア成分以外の成分であるＤＭＴ変調成分のパワーとの強度比により生じる前記パワーの変化が検出された場合に、前記波長可変光フィルタを透過する光信号の波長帯域を短波長側にシフトさせる制御である、請求項１に記載の光伝送システム。
【請求項３】
前記相対関係の制御は、
前記波長可変光フィルタを透過する光信号の波長帯域の帯域幅を減少させ、
前記検出部によって前記キャリア成分のパワーとＤＭＴ変調成分のパワーとの強度比により生じる前記パワーの変化が検出された場合に、前記波長可変光フィルタを透過する光信号の波長帯域の帯域幅を増加させる制御である、請求項１に記載の光伝送システム。
【請求項４】
前記透過特性の制御は、前記波長可変光フィルタの透過帯域が前記光信号の波長帯域において部分的に透過率が相対的に低い帯域を含むように、前記透過帯域を設定する制御であり、
前記相対関係の制御は、前記検出部によって前記波長可変光フィルタを透過する光信号のパワーが相対的に低い波長帯域が検出された場合に、当該波長帯域が前記除去によって得られる残留側波帯に含まれるようにする制御である、請求項１に記載の光伝送システム。
【請求項５】
前記相対関係の制御は、前記波長可変光フィルタの透過帯域幅を、前記波長可変光フィルタを透過する光信号のパワーの劣化量が閾値以下となる範囲で変化させた場合に、前記検出部によって前記劣化量の極値が検出されることにより前記パワーの変化が検出されたときの透過帯域を、前記波長可変光フィルタの透過帯域とする制御である、請求項１に記載の光伝送システム。
【請求項６】
前記透過特性の制御は、前記波長可変光フィルタを透過する光信号のパワーの減衰量を変化させる制御であり、
前記相対関係の制御は、前記検出部によって前記減衰量の変化に応じて生じる前記パワーの変化が検出された場合に、前記減衰量、及び、前記パワーの変化が検出された波長と前記波長可変光フィルタを透過する光信号の中心波長との差に基づいて行なわれる、請求項１に記載の光伝送システム。
【請求項７】
複数波長の前記光信号を送信する複数の前記光送信器と、
前記複数の光送信器から送信された複数の光信号を多重化して波長多重光信号を生成する波長多重器と、を更に備え、
前記波長可変光フィルタは、生成された前記波長多重光信号を入力され、
前記相対関係の制御は、前記波長多重光信号に含まれる前記複数の光信号のうち、少なくとも一部の光信号に対する制御である、請求項１〜６のいずれか１項に記載の光伝送システム。
【請求項８】
ＤＭＴ（Discrete Multi-tone）駆動信号によって変調された光信号が入力される波長可変光フィルタの制御装置であって、
前記波長可変光フィルタを透過した光信号のパワーをモニタするパワーモニタと、
前記波長可変光フィルタの透過特性を制御する制御部と、
前記制御部によって前記透過特性を変化させたときに前記パワーモニタでモニタされるパワーの変化を検出する検出部と、を備え、
前記制御部は、
前記検出部で検出された前記パワーの変化に基づいて前記光信号のキャリア成分を識別し、該キャリア成分を含み、かつ、前記光信号の上側波帯及び下側波帯のいずれか一方の少なくとも一部を前記波長可変光フィルタで除去するように、前記波長可変光フィルタの透過特性と前記キャリア成分の周波数との相対関係を制御する、波長可変光フィルタの制御装置。
【請求項９】
ＤＭＴ（Discrete Multi-tone）駆動信号によって変調された光信号が入力される波長可変光フィルタの制御装置による制御方法であって、
前記波長可変光フィルタを透過した光信号のパワーをモニタし、
前記波長可変光フィルタの透過特性を制御し、
前記透過特性を変化させたときにモニタされるパワーの変化を検出し、
検出された前記パワーの変化に基づいて前記光信号のキャリア成分を識別し、該キャリア成分を含み、かつ、前記光信号の上側波帯及び下側波帯のいずれか一方の少なくとも一部を前記波長可変光フィルタで除去するように、前記波長可変光フィルタの透過特性と前記キャリア成分の周波数との相対関係を制御する、制御方法。
【発明の詳細な説明】
【技術分野】
【０００１】
本明細書に記載する技術は、光伝送システム、波長可変光フィルタの制御装置及び制御方法に関する。
【背景技術】
【０００２】
近年、簡易な構成で周波数利用効率を向上可能な技術である離散マルチトーン（ＤＭＴ：Discrete Multi-tone）変調方式を、光伝送システムに適用することが検討されている。ＤＭＴ変調方式は、直交周波数分割多重（ＯＦＤ：Orthogonal Frequency Division Multiplexing）技術をベースとしたマルチキャリア伝送技術の１つであり、ＡＤＳＬ（Asymmetric Digital Subscriber Line）等のＤＳＬ技術で利用されている。
【０００３】
ＤＭＴ変調方式（「マルチキャリア変調方式」と称してもよい。）では、個々のサブキャリアに対して伝送特性に応じたビット数を割り当てる「ビットローディング」と呼ばれる手法を用いる。「伝送特性」は、「受信特性」あるいは「信号品質」と言い換えてもよい。
【０００４】
伝送特性の指標の一例は、信号対雑音比（ＳＮＲ：Signal-Noise Ratio）やビットエラーレート（ＢＥＲ：Bit Error Rate）等である。伝送特性は、伝送条件と称してもよい。ＤＭＴ変調方式は、例えば、伝送特性の高いサブキャリアには伝送特性の低いサブキャリアよりも多くのビットを割り当てる方式である。したがって、伝送帯域の周波数利用効率を向上でき、伝送容量の拡大化を図ることが可能である。
【０００５】
ＤＭＴ変調方式を光伝送システムに導入する場合、光送信器には、半導体レーザによる直接変調方式を用いた電光（Ｅ／Ｏ）変換器を適用できる。また、光受信器には、ＰＤ（フォトディテクタあるいはフォトダイオード）等の受光素子を用いた光電（Ｏ／Ｅ）変換器を適用できる。
【０００６】
半導体レーザやＰＤは、汎用的な光デバイスであるため安価である。また、直接変調方式では、光源である半導体レーザの駆動電流を送信データに応じて変調することによって変調信号を生成する。直接変調方式は、光源とは別に光変調器を用いる外部変調方式と比べると高速化は難しいものの、光信号の位相情報を利用しなくてよいので、光送信器の小型化及び低コスト化が可能である。
【０００７】
したがって、光伝送システムにＤＭＴ変調方式を導入することで、周波数利用効率の向上（別言すると、伝送容量の向上）と光送信器の小型化及び低コスト化とを図ることが可能な光伝送システムを提供することができる。
【０００８】
任意の波長を選択的に透過することが可能なＷＳＳ（Wavelength Selective Switch）を、光伝送システムに適用することがある。ＷＳＳは、波長可変光フィルタの一例である。波長可変光フィルタを光伝送システムに適用することにより、光ネットワークにおける波長パスの設定を柔軟に変更することができ、波長リソースの利用効率を向上させることができる。
【先行技術文献】
【特許文献】
【０００９】
【特許文献１】特開平１１−２０５２４０号公報
【特許文献２】特開２００１−２６４７１０号公報
【特許文献３】特開２００２−２５８２２８号公報
【非特許文献】
【００１０】
【非特許文献１】F. Devaux et al.、「Simple Measurement of Fiber Dispersion and of Chirp Parameter of Intensity Modulated Light Emitter」、JOURNAL OF LIGHTWAVE TECHNOLOGY, VOL 11, No. 12, December 1993、pp. 1937-40
【発明の概要】
【発明が解決しようとする課題】
【００１１】
光強度変調方式を利用する光伝送システムにおいては、光送信器で発生する周波数チャープと光伝送路で累積する波長分散との相互作用に起因して、伝送特性に劣化が生じることがある。
【００１２】
１つの側面では、本明細書に記載する技術は、光伝送システムにおける伝送特性の劣化を低減することを目的とする。
【課題を解決するための手段】
【００１３】
１つの側面において、光伝送システムは、光送信器と波長可変光フィルタとパワーモニタと制御部と検出部とを備える。光送信器は、ＤＭＴ変調によって変調した光信号を送信する。波長可変光フィルタは、前記光信号が入力される。パワーモニタは、前記波長可変光フィルタを透過した光信号のパワーをモニタする。制御部は、前記波長可変光フィルタの透過特性を制御する。検出部は、前記制御部によって前記透過特性を変化させたときに前記パワーモニタでモニタされるパワーの変化を検出する。また、前記制御部は、前記検出部で検出された前記パワーの変化に基づいて識別される前記光信号のキャリア成分が、前記光信号の上側波帯及び下側波帯の一方を前記波長可変光フィルタで除去して得られる残留側波帯成分に含まれるように、前記波長可変光フィルタの透過特性とキャリア成分の周波数との相対関係とを制御する。
【発明の効果】
【００１４】
１つの側面として、光伝送システムにおける伝送特性の劣化を低減することができる。
【図面の簡単な説明】
【００１５】
【図１】第１実施形態の光伝送システムの機能的な構成例を示すブロック図である。
【図２】第１実施形態の光送信器及び光受信器の機能的な構成例を示すブロック図である。
【図３】（ａ）はＤＭＴ変調光信号のサブキャリア配置の一例を示す図であり、（ｂ）は（ａ）に示した各サブキャリアの伝送特性を示す図である。
【図４】ＤＭＴ変調光信号の周波数応答特性を例示する図である。
【図５】ＤＭＴ変調光信号の伝送特性が理想的な特性から劣化する様子を模式的に示す図である。
【図６】（ａ）は光信号スペクトルの下側波帯及び上側波帯を模式的に示す図であり、（ｂ）は（ａ）に示した光信号スペクトルの残留側波帯を模式的に示す図である。
【図７】ＤＭＴ変調光信号のＳＮＲを例示する図である。
【図８】ＤＭＴ変調光信号のＢＥＲを例示する図である。
【図９】第１実施形態の光伝送システムにおける光フィルタの透過特性及び制御例を説明する図である。
【図１０】図９に例示した光フィルタの制御に応じて検出される光信号のパワーの変化を示す図である。
【図１１】（ａ）は図１０に示した点Ａを光フィルタの透過帯域の短波長側のエッジとして設定した場合における光フィルタを透過する光信号スペクトルの残留側波帯を示す図であり、（ｂ）は図１０に示した点Ｂを光フィルタの透過帯域の短波長側のエッジとして設定した場合における光フィルタを透過する光信号スペクトルの残留側波帯を示す図である。
【図１２】第１実施形態の光伝送システムにおける光フィルタの制御例を説明するフローチャートである。
【図１３】第１実施形態の変形例としての光伝送システムにおける光フィルタの透過特性及び制御例を説明する図である。
【図１４】第２実施形態の光伝送システムにおける光フィルタの透過特性及び制御例を説明する図である。
【図１５】図１４に例示した光フィルタの制御に応じて検出される光信号のパワーの変化を示す図である。
【図１６】第３実施形態の光伝送システムの機能的な構成例を示すブロック図である。
【図１７】第３実施形態の光伝送システムにおいて伝送される波長多重光信号のスペクトルを例示する図である。
【図１８】第３実施形態の光伝送システムにおける光フィルタの制御例を説明するフローチャートである。
【図１９】第３実施形態の光伝送システムにおける光フィルタの制御例を説明するフローチャートである。
【図２０】第４実施形態の光伝送システムにおける光フィルタの制御例を説明する図である。
【図２１】図２０に例示した光フィルタの制御に応じて検出される光信号のパワーの変化を示す図である。
【図２２】第４実施形態の光伝送システムにおける光フィルタの制御例を説明するフローチャートである。
【図２３】第４実施形態の光伝送システムにおける光フィルタの制御例を説明するフローチャートである。
【図２４】第５実施形態の光伝送システムにおける光フィルタの制御例を説明する図である。
【発明を実施するための形態】
【００１６】
以下、図面を参照して実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形して実施することができる。
【００１７】
また、各図は、図中に示す構成要素のみを備えるという趣旨ではなく、他の構成要素を含むことができる。以下、図中において、同一の符号を付した部分は特に断らない限り、同一若しくは同様の部分を示す。
【００１８】
〔Ａ〕第１実施形態
〔Ａ−１〕システム構成例
図１は、第１実施形態の光伝送システム１の機能的な構成例を示すブロック図である。
【００１９】
図１に示す光伝送システム１は、例示的に、光送信器２０と光受信器３０とを備えてよい。光送信器２０と光受信器３０とは、光ファイバ等の光伝送媒体を用いた光伝送路４を介して接続されてよい。光伝送路４は、ＳＭＦ（Single Mode Fiber）であってよい。なお、光伝送路４には、１又は複数の光増幅器が設けられてもよい。
【００２０】
光伝送システム１は、光伝送路４に波長可変光フィルタ１１（以下、単に「光フィルタ１１」と称する場合がある。）を備えてよい。光フィルタ１１は、透過させる光信号の波長を変更することができ、光送信器２０によって送信されたＤＭＴ光信号等の光信号を入力されてよい。光フィルタ１１として例えばＷＳＳを使用することにより、ＷＳＳのプログラマブルで透過特性を可変できるという特徴を利用することができる。
【００２１】
光フィルタ１１は、入力される光信号の中心波長の短波長側及び長波長側の双方に帯域制限を適用するバンドパスフィルタであってもよいし、短波長側及び長波長側の一方に限って帯域制限を適用するハイパスフィルタ又はローパスフィルタであってもよい。
【００２２】
光フィルタ１１に、バンドパスフィルタに限らず、ハイパスフィルタやローパスフィルタを適用しても、後述する上側波帯及び下側波帯のいずれか一方の少なくとも一部を除去あるいは抽出することが可能である。
【００２３】
光伝送システム１は、波長可変光フィルタ１１の制御装置１０（以下、単に「制御装置１０」と称する場合がある。）を備えてよい。制御装置１０は、光フィルタ１１と光受信器３０との間の光伝送路４から分岐される経路に接続されるとともに、光送信器２０に接続される。なお、制御装置１の構成例については、図９〜図１１の説明と併せて、後述する。
【００２４】
図２は、第１実施形態の光送信器２０及び光受信器３０の機能的な構成例を示すブロック図である。なお、図２においては、図１に例示した光フィルタ１１及び制御装置１０の図示は省略している。
【００２５】
（光送信器）
光送信器２０は、例示的に、送信データをＤＭＴ変調方式及び直接変調方式にて変調し、得られた送信変調光信号を光伝送路４へ送信する。別言すれば、光送信器２０は、ＤＭＴ駆動信号によって変調した光信号を送信してよい。なお、ＤＭＴ変調方式は、マルチキャリア変調方式の一例である。送信変調光信号は、ＤＭＴ変調光信号と称してもよい。ＤＭＴ変調光信号は、マルチキャリア変調光信号の一例である。
【００２６】
光送信器２０は、例示的に、ＤＭＴ変調部２１、デジタル−アナログコンバータ（ＤＡＣ）２２、及び、電光変換（Ｅ／Ｏ）モジュール２３を備えてよい。
【００２７】
ＤＭＴ変調部２１は、マルチキャリア変調部の一例であり、電気信号である送信データをＤＭＴ変調してＤＭＴ変調信号を生成してよい。ＤＭＴ変調部２１、あるいは、ＤＭＴ変調部２１、ＤＡＣ２２及びＥ／Ｏモジュール２３を含むブロックは、送信部の一例である、と捉えてもよい。
【００２８】
ＤＭＴ変調部２１は、例示的に、送信信号（「送信データ」と称してもよい。）をシリアル／パラレル（Ｓ／Ｐ）変換して送信サブキャリア数に応じた数のパラレルデータを生成する。また、ＤＭＴ変調部２１は、生成したパラレルデータを誤り訂正符号化してよい。更に、ＤＭＴ変調部２１は、誤り訂正符号化したパラレルデータ（デジタルビット列）を、サブキャリア単位で、「コンスタレーション」と称される複素平面（ＩＱ平面）におけるシンボルにマッピング（「サブキャリア変調」と称してもよい。）してよい。
【００２９】
図３（ａ）はＤＭＴ変調光信号のサブキャリア配置の一例を示す図であり、図３（ｂ）は図３（ａ）に示した各サブキャリアの伝送特性を示す図である。
【００３０】
図３（ａ）には、周波数領域においてＮ本（Ｎは２以上の整数）のサブキャリアが設定された様子が例示されている。なお、１〜Ｎは、サブキャリア番号を示す。図３（ａ）に示す例では、サブキャリア番号が大きいほど周波数が高い。ただし、周波数に対するサブキャリア番号の割り当て順序は、不問でよい。
【００３１】
ＤＭＴ変調部２１は、主信号の送信前に光送信器２０と光受信器３０との間でネゴシエーションを行ない、各サブキャリアに伝送特性に応じた数のビットを割り当ててよい。伝送特性の指標の一例は、ＳＮＲやＢＥＲ等である。例えば、図３（ｂ）に示すように、ＤＭＴ変調方式では、伝送特性（「受信特性」あるいは「信号品質」と称してよい。）の高いサブキャリアに対して伝送特性の低いサブキャリアよりも多くのビットを１シンボルに割り当てることができる。別言すると、ＤＭＴ変調方式では、伝送特性の高いサブキャリア番号のサブキャリアに、伝送特性の低いサブキャリア番号のサブキャリアよりも多くのビットを１シンボルに割り当てることができる。
【００３２】
なお、割り当てられるビット数がサブキャリア変調の多値度に相当すると捉えてよい。例えば、サブキャリア変調がＱＰＳＫ（Quadrature Phase Shift Keying）の場合、多値度は４である。サブキャリア変調がＭ−ＱＡＭ（Quadrature Amplitude Modulation）の場合、多値度はＭ（＝１６，６４，２５６等）である。
【００３３】
図２に戻り、ＤＡＣ２２は、例示的に、ＤＭＴ変調部２１によって生成された、デジタル信号であるＤＭＴ変調信号を、アナログ信号に変換してＥ／Ｏモジュール２３に入力する。
【００３４】
Ｅ／Ｏモジュール２３は、例示的に、ＤＡＣ２２から入力されたＤＭＴ変調信号を光信号に変換する。例えば、Ｅ／Ｏモジュール２３は、図示を省略した、光源とドライバとを備えてよい。光源とドライバとを含むブロックは、ＴＯＳＡ（Transmitter Optical Sub-Assembly）と称されてよい。
【００３５】
ドライバは、アナログ信号であるＤＭＴ変調信号に応じた駆動信号を光源に与える。当該駆動信号に応じて、光源の発光パワーが変動してＤＭＴ変調光信号が生成される。
【００３６】
別言すると、Ｅ／Ｏモジュール２３は、光源の出力光をＤＭＴ変調信号によって直接変調（direct modulation，ＤＭ）する。光源は、例示的に、半導体レーザである。
【００３７】
上述のようにしてＥ／Ｏモジュールで生成されたＤＭＴ変調光信号は、光伝送路４へ送信される。
【００３８】
なお、光送信器２０は、ＤＡＣ２２とＥ／Ｏモジュール２３との間に、信号を増幅するアンプ（不図示）を備えてもよい。
【００３９】
（光受信器）
次に、図２に示した光受信器３０について説明する。光受信器３０は、例示的に、光電変換（Ｏ／Ｅ）モジュール３１、アナログ−デジタルコンバータ（ＡＤＣ）３２、及び、ＤＭＴ復調部３３を備えてよい。なお、Ｅ／Ｏモジュール３１とＡＤＣ３２との間に、信号を増幅するアンプ（不図示）が備えられてもよい。
【００４０】
Ｏ／Ｅモジュール３１は、例示的に、受信したＤＭＴ変調光信号を電気信号に変換する。そのため、Ｏ／Ｅモジュール３１は、受光素子の一例であるＰＤ（フォトディテクタあるいはフォトダイオード）を備えてよい。
【００４１】
ＰＤは、例示的に、受信したＤＭＴ変調光信号を、受光パワーに応じた振幅を有する電気信号（例えば、電流信号）に変換する。ＰＤの受光パワーに応じた電流信号は、例えば、トランスインピーダンスアンプ（ＴＩＡ）によって電圧信号に変換されてもよい。ＰＤとＴＩＡとを含むブロックは、ＲＯＳＡ（Receive Optical Sub-Assembly）と称されてよい。
【００４２】
ＡＤＣ３２は、例示的に、Ｏ／Ｅモジュール３１にて上述のごとく光電変換されて得られるアナログ電気信号をデジタル信号に変換する。
【００４３】
ＤＭＴ復調部３３は、例示的に、ＡＤＣ３２から入力されたアナログ電気信号をＤＭＴ復調して受信データを得る。なお、ＤＭＴ復調部３３、あるいは、Ｏ／Ｅモジュール３１、ＡＤＣ３２及びＤＭＴ復調部３３を含むブロックは、受信部の一例に相当する、と捉えてよい。
【００４４】
ここで、光受信器３０によって受信されるＤＭＴ信号光には、周波数領域において「伝送特性の落ち込み」が生じることがある。周波数領域における「伝送特性の落ち込み」は、「周波数ディップ（Ｄｉｐ）」と称してもよい。
【００４５】
「周波数ディップ」は、例示的に、光送信器２０の光源がもつ周波数特性によって送信光信号に加わる周波数チャープのパラメータ（α）と、ＤＭＴ変調信号が光伝送路４から受ける分散と、に起因して生じる。詳細については、図４及び図５等を用いて後述する。なお、周波数チャープのパラメータαを、以下、「チャープパラメータα」と略称することがある。
【００４６】
光伝送路４を伝送されるＤＭＴ変調光信号の周波数応答ＩＲは、下記の数式１によって表すことができる。
【００４７】
【数１】
0006613761.tif 000002
【００４８】
なお、数式１において、「ｍ」は「変調度」を表し、「α」は光送信器２０の「チャープパラメータ」を表し、「λ」はＤＭＴ変調光信号の「波長」を表す。また、「Ｄ」は「分散」を表し、「Ｌ」は光伝送路４の長さ（「光ファイバ長」と言い換えてもよい。）を表し、「ｆ」は周波数ディップの中心波長を表し、「ｃ」は「光速」を表す。
【００４９】
図４は、ＤＭＴ変調光信号の周波数応答特性（「伝送特性」と言い換えてよい。）を例示する図である。
【００５０】
図４には、数式１において、分散Ｄ＝１６［ｐｓ／ｎｍ／ｋｍ］、波長λ＝１５５０［ｎｍ］、チャープパラメータα＝３．２５であるときの、異なる光ファイバ長Ｌ［ｋｍ］（Ｌ＝１０、Ｌ＝２０、Ｌ＝４０、Ｌ＝８０）についての周波数応答特性が例示されている。
【００５１】
図４から理解できるように、ＤＭＴ変調信号光の周波数応答特性は、光ファイバ長Ｌ（別言すると、ＤＭＴ変調光信号の伝送距離）に依存して変化する。例えば図４には、伝送距離が長いほど、ＤＭＴ伝送帯域に生じ得る周波数ディップの数が増加する傾向にあることが例示されている。
【００５２】
図５は、ＤＭＴ変調光信号の伝送特性が理想的な特性から劣化する様子を模式的に示す図である。
【００５３】
図５に例示するように、ＤＭＴ伝送帯域において、ＤＭＴ変調光信号の周波数応答特性は、フラットであるのが理想である。しかし、ＤＭＴ変調光信号は、光送信器２０や光受信器３０に用いられる光デバイスの周波数特性によって、例えば高周波数ほど帯域制限を受け易く、伝送特性が低下する傾向にある。
【００５４】
かかる帯域制限に加えて、光送信器２０のチャープパラメータαと、ＤＭＴ変調光信号が光伝送路４から受ける分散と、に起因して、サブキャリアには、周波数ディップが生じていないときのビット数よりも少ないビット数の送信データしか割り当てられない。
【００５５】
図６（ａ）は光信号スペクトルの下側波帯及び上側波帯を模式的に示す図であり、図６（ｂ）は図６（ａ）に示した光信号スペクトルの残留側波帯を模式的に示す図である。
【００５６】
図６（ａ）に示すキャリア周波数λｓを含む信号スペクトルのうち、光フィルタ１１によって下側波帯又は上側波帯の片側波帯を除去できる。これにより、図６（ｂ）に示すようにキャリア周波数λｓは、ＶＳＢ（Vestigial sideband：残留側波帯）に残留し、以下に説明するように、波長分散による伝送特性の劣化を低減させることができる。以下、「キャリア周波数の成分」を、単に「キャリア成分」と称する場合がある。
【００５７】
図７はＤＭＴ変調光信号のＳＮＲを例示する図であり、図８はＤＭＴ変調光信号のＢＥＲを例示する図である。
【００５８】
図７において、「Ｂａｃｋ  ｔｏ  ｂａｃｋ」は、光送信器２０と光受信器３０とがバックトゥバック接続されている場合（別言すると、光ファイバ長Ｌ＝０［ｋｍ］の場合）のＤＭＴ変調光信号のＳＮＲを示す。また、「ｗ．ＶＳＢ」は片側波帯を除去した場合のＤＭＴ変調光信号のＳＮＲを示し、「ｗｏ．ＶＳＢ」は片側波帯を除去しない場合のＤＭＴ変調光信号のＳＮＲを示す。
【００５９】
図７から理解できるように、片側波帯を除去した場合の方が、片側波帯を除去しない場合よりも、発生するディップの数を減少させることができる。
【００６０】
図８において、「ｗｏ．ＶＳＢ」は片側波帯を除去しない場合のＤＭＴ変調光信号のＢＥＲを示し、「ＶＳＢ」は片側波帯を除去した場合のＤＭＴ変調光信号のＢＥＲを示す。
【００６１】
図８から理解できるように、片側波帯を除去した場合の方が、片側波帯を除去しない場合よりも、伝送速度が伝送距離の影響を受けにくくすることができる。
【００６２】
（制御装置）
次に、制御装置１０について説明する。図１に示した制御装置１０は、例示的に、光パワーモニタ１２、光パワー分析部１３、光フィルタ制御部１４、及び、光波長設定部１５を備えてよい。制御装置１０は、光伝送システム１の運用中以外の期間である、例えば、初期設定の際やキャリブレーションの際に、動作してよい。
【００６３】
光波長設定部１５は、光送信器２０が備えるＥ／Ｏモジュール２３の光源（不図示）が発光する光信号の波長（又は周波数）を設定してよい。例えば、光波長設定部１５は、後述する光フィルタ制御部１４からの入力や図示しない外部装置からの入力に基づき、波長（又は周波数）の設定をしてよい。
【００６４】
光パワーモニタ１２には、例えばＰＤを用いてもよい。光パワーモニタ１２は、光フィルタ１１を透過した光信号のパワーをモニタしてよい。
【００６５】
図９は、第１実施形態の光伝送システム１における光フィルタ１１の透過特性及び制御例を説明する図である。
【００６６】
光パワーモニタ１２によってモニタされる光信号の相対パワー（ｄＢ）を相対周波数（ＧＨｚ）に対応づけたＤＭＴ光信号の透過特性を図示すると、例えば図９に示すグラフのようになる。ＤＭＴ光信号のスペクトルは、キャリア成分と、ＤＭＴ変調成分と、ノイズフロアとを含む。
【００６７】
光パワー分析部１３は、検出部の一例であり、光パワーモニタ１２でモニタされた光信号のパワーを分析してよい。また、光パワー分析部１３は、後述する光フィルタ制御部１４によって光フィルタ１１の透過特性を変化させたときに、光パワーモニタ１２でモニタされたパワーの変化を検出してよい。透過特性は、「フィルタ特性」と称してもよい。なお、光パワー分析部１３には、スペクトラムアナライザを用いてもよい。
【００６８】
光パワー分析部１３は、例えば、後述する光フィルタ制御部１４によって光フィルタ１１の透過特性を変化させたときに、光パワーモニタ１２によってモニタされた光信号の変化量が閾値以上であるかを判定する。そして、光パワー分析部１３は、キャリア成分のパワーとＤＭＴ変調成分のパワーとの強度比により生じる変化を検出する。
【００６９】
図９に示す例において、光パワー分析部１３は、キャリア成分が存在する相対周波数が約０ＧＨｚからＤＭＴ変調成分が存在する相対周波数が約１０ＧＨｚまでの周波数帯域において、パワーの変化、例えば、パワーが減少していることを検出できる。
【００７０】
図１０は、図９に例示した光フィルタ１１の制御に応じて検出される光信号のパワーの変化を示す図である。図１０においては、光フィルタ１１の透過特性を帯域幅９０ＧＨｚの矩形状とした場合のパワーの変化が例示されている。
【００７１】
光パワーモニタ１２によってモニタされる光信号を正規化したパワー（Normalized power (a.u.)）と、周波数（Detuning (GHz)）とを対応づけたＤＭＴ光信号の透過特性を図示すると、例えば図１０に示すグラフのようになる。
【００７２】
図１０に示す例において、光パワー分析部１３は、光フィルタ１１の透過帯域の短波長側の周波数が約４０ＧＨｚのときのパワー（点Ａ参照）と、光フィルタ１１の透過帯域の短波長側の周波数が約５０ＧＨｚのときのパワー（点Ｂ参照）とを比較する。そして、光パワー分析部１３は、光フィルタ１１の透過帯域の下側波帯側の周波数が約４０ＧＨｚから約５０ＧＨｚにシフトされた場合に、光信号のパワーが減少していることを検出することにより、パワーの変化を検出する。ＤＭＴ光信号においてはキャリア成分のパワーとＤＭＴ変調成分のパワーとのパワー比が非常に大きいため、光パワー分析部１３は、キャリア成分が光フィルタ１１で削られた場合に、大きなパワー差を検出する。
【００７３】
光フィルタ制御部１４は、制御部の一例であり、光フィルタ１１の透過特性を変化させる制御を行なってよい。第１実施形態において、透過特性を変化させる制御は、例えば、光フィルタ１１を透過する光信号の波長帯域を、帯域幅を変えずに、長波長側又は短波長側へシフトさせる制御である。
【００７４】
光フィルタ制御部１４は、光フィルタ１１の制御を開始する際に、光波長設定部１５によって設定された光送信器２０が送信する光信号の波長に基づき、透過特性を制御、例えば、光フィルタ１１を透過する光信号の波長帯域を設定してよい。
【００７５】
光フィルタ制御部１４は、光パワー分析部１３で検出されたパワーの変化に基づいて識別される光信号のキャリア成分が残留側波帯に含まれるように、光フィルタ１１の透過特性とキャリア成分の周波数との相対関係を制御してよい。
【００７６】
残留側波帯は、例示的に、上側波帯及び下側波帯の一方の全部を除去することにより残留した側波帯であってもよいし、上側波帯及び下側波帯の一方の少なくとも一部を除去することにより残留した側波帯であってもよい。
【００７７】
別言すれば、光フィルタ制御部１４は、光パワー分析部１３で検出されたパワーの変化に基づいて光信号のキャリア成分を検出してよい。そして、光フィルタ制御部１４は、識別したキャリア成分を含み、かつ、光信号の上側波帯及び下側波帯のいずれか一方の少なくとも一部を光フィルタ１１で除去するように、光フィルタ１１の透過特性とキャリア成分の周波数との相対関係を制御してよい。
【００７８】
本明細書において、光フィルタ制御部１４は、キャリア成分の周波数を制御せずに、光フィルタ１１の透過特性を制御することにより、光フィルタ１１の透過特性とキャリア成分の周波数との相対関係を制御してよい。また、本明細書において、光フィルタ制御部１４は、光フィルタ１１の透過特性を制御せずに、キャリア成分の周波数を制御することにより、光フィルタ１１の透過特性とキャリア成分の周波数との相対関係を制御してもよい。更に、本明細書において、光フィルタ制御部１４は、光フィルタ１１の透過特性とキャリア成分の周波数との両方を制御することにより、光フィルタ１１の透過特性とキャリア成分の周波数との相対関係を制御してもよい。
【００７９】
光フィルタ制御部１４は、キャリア成分の周波数を制御する場合には、キャリア成分の周波数の制御量（又は設定値）を光波長設定部１５に通知してよい。光波長設定部１５は、光フィルタ制御部１４により通知された制御量（又は設定値）に基づき、光送信器２０が備えるＥ／Ｏモジュール２３の光源（不図示）が発光する光信号の波長（又は周波数）を設定してよい。
【００８０】
例えば、光フィルタ制御部１４は、光パワー分析部１３によって光信号のパワーの変化が検出されるまで、光フィルタ１１を透過する光信号の波長帯域を長波長側（又は短波長側）にシフトさせる制御を行なってよい。そして、光フィルタ制御部１４は、光パワー分析部１３によって光パワーの変化が検出されれば、光フィルタ１１を透過する光信号の波長帯域を短波長側（又は長波長側）、別言すると、逆方向にシフトさせる制御を行なってよい。
【００８１】
図９に示す例において、光パワー分析部１３によって光信号のパワーの変化が検出されれば、光フィルタ制御部１４の制御によって、光フィルタ１１の透過特性を示す破線枠（透過帯域）は、長波長側へシフトされる。
【００８２】
図１１（ａ）は図１０に示した点Ａを光フィルタ１１の透過帯域の短波長側のエッジとして設定した場合における光フィルタ１１を透過する光信号スペクトルの残留側波帯を示す図である。図１１（ｂ）は図１０に示した点Ｂを光フィルタ１１の透過帯域の短波長側のエッジとして設定した場合における光フィルタ１１を透過する光信号スペクトルの残留側波帯を示す図である。
【００８３】
図９に示す光フィルタ１１の透過帯域の短波長側のエッジを相対周波数が約−５ＧＨｚの点までシフトさせると、残留側波帯に含まれるＤＭＴ光信号のスペクトルは、例えば図１１（ａ）に示すグラフのようになる。図９に示す光フィルタ１１の透過帯域の短波長側のエッジを相対周波数が約５ＧＨｚの点までシフトさせると、残留側波帯に含まれるＤＭＴ光信号のスペクトルは、例えば図１１（ｂ）に示すグラフのようになる。
【００８４】
光パワー分析部１３によって光信号のパワーの変化が検出されると、光フィルタ制御部１４の制御によって、光フィルタ１１の透過帯域は、短波長側にシフトされる。これにより、残留側波帯に含まれるＤＭＴ信号のスペクトルは、図１１（ｂ）の状態から図１１（ａ）の状態になる。
【００８５】
光パワー分析部１３、光フィルタ制御部１４及び光波長設定部１５としての機能は、例えば、制御装置１０に備えられるプロセッサ（処理部：不図示）に備えられてよい。また、制御装置１０は、ＲＯＭ（Read Only Memory：不図示）及びＲＡＭ（Random Access Memory：不図示）を備えてよい。
【００８６】
プロセッサは、制御装置１０全体の動作を制御する。プロセッサには、例えばＣＰＵ（Central Processing Unit）やＭＰＵ（Micro Processing Unit）やＤＳＰ（Digital Signal Processor）が適用されてもよい。また、制御装置１０全体の動作を制御する構成は、プロセッサに限定されるものではなく、例えば、ＡＳＩＣ（Application Specific Integrated Circuit）やＰＬＤ（Programmable Logic Device）やＦＰＧＡ（Field Programmable Gate Array）であってもよい。また、制御装置１０全体の動作を制御する構成は、例えば、ＣＰＵ、ＭＰＵ、ＤＳＰ、ＡＳＩＣ、ＰＬＤ、ＦＰＧＡのうちの２種類以上の要素の組み合わせであってもよい。
【００８７】
〔Ａ−２〕動作例
上述の如く構成された第１実施形態の光伝送システム１における光フィルタ１１の制御例を、図１２に示すフローチャート（ステップＳ１〜Ｓ７）に従って説明する。
【００８８】
光フィルタ制御部１４は、光波長設定部１５からの光送信器２０が送信する光信号の波長（周波数）に関する情報に基づき、光フィルタ１１の中心波長（中心周波数）を設定する（ステップＳ１）。
【００８９】
光パワーモニタ１２は、光フィルタ１１を透過した光信号のパワーをモニタする（ステップＳ２）。
【００９０】
光パワー分析部１３は、光信号のパワーの初期値が閾値以上であるか判定する（ステップＳ３）。
【００９１】
パワーの初期値が閾値未満である場合には（ステップＳ３のＮｏルート参照）、処理はステップＳ２へ戻る。
【００９２】
一方、パワーの初期値が閾値以上である場合には（ステップＳ３のＹｅｓルート参照）、光フィルタ制御部１４は、光フィルタ１１の中心波長を一定量ｄずらす（ステップＳ４）。
【００９３】
光パワーモニタ１２は、光フィルタ１１を透過した光信号のパワーをモニタする（ステップＳ５）。
【００９４】
光パワー分析部１３は、光信号のパワーの変化量が閾値以上であるかを判定する（ステップＳ６）。
【００９５】
パワーの変化量が閾値未満である場合には（ステップＳ６のＮｏルート参照）、処理はステップＳ４へ戻る。
【００９６】
一方、パワーの変化量が閾値以上である場合には（ステップＳ６のＹｅｓルート参照）、光フィルタ制御部１４は、光フィルタ１１の中心波長を一定量ｄ戻して（ステップＳ７）、処理は終了する。
【００９７】
このように、第１実施形態において、光フィルタ制御部１４は、光パワー分析部１３で検出されたパワーの変化に基づいて光信号のキャリア成分を検出する。そして、光フィルタ制御部１４は、識別したキャリア成分を含み、かつ、光信号の上側波帯及び下側波帯のいずれか一方の少なくとも一部を光フィルタ１１で除去するように、光フィルタ１１の透過特性を制御する。
【００９８】
これにより、光フィルタ１１の中心波長とＤＭＴ光信号のキャリア成分の波長との差の設定精度を向上させることができる。そして、光伝送システム１における伝送特性の劣化を低減できる。例えば、波長分散累積が発生した場合の伝送特性を改善することができる。また、ＤＭＴ変調成分のパワーよりもキャリア成分のパワーが非常に大きいため、光信号帯域が広く光フィルタ１１によって帯域制限がかけられている光伝送システム１においても、波長の制御誤差を抑圧することができる。
【００９９】
光フィルタ制御部１４は、一定の帯域幅を有し、光フィルタ１１を透過する光信号の波長帯域を長波長側へシフトされる。また、光パワー分析部１３は、キャリア成分のパワーとＤＭＴ変調成分のパワーとの強度比により生じるパワーの変化を検出する。そして、光フィルタ制御部１４は、光パワー分析部１３によってパワーの変化が検出された場合に、光フィルタ１１を透過する光信号の波長帯域を短波長側にシフトさせる制御を行なう。
【０１００】
これにより、光フィルタ１１を透過した光信号のキャリア成分を確実に検出することができる。
【０１０１】
〔Ａ−３〕変形例
上述した第１実施形態において、光フィルタ制御部１４は、例示的に、光フィルタ１１を透過する光信号の波長帯域を、帯域幅を変えずに、長波長側又は短波長側へシフトさせることにより、光フィルタ１１の透過特性を変化させることとした。
【０１０２】
第１実施形態の変形例において、光フィルタ制御部１４は、例示的に、光フィルタ１１を透過する光信号の波長帯域の帯域幅を増加又は減少させることにより、光フィルタ１１の透過特性を変化させる。
【０１０３】
図１３は、第１実施形態の変形例としての光伝送システム１における光フィルタ１１の透過特性及び制御例を説明する図である。
【０１０４】
図１３には、ＤＭＴ光信号の光フィルタ１１の透過特性（透過帯域）の一例が示されている。図示する例において、光フィルタ１１の透過帯域は、エッジ１ａからエッジ２までの相対周波数帯域となっている。
【０１０５】
第１実施形態の変形例において、光フィルタ制御部１４は、光フィルタ１１を透過したＤＭＴ光信号の両側波帯が透過帯域に含まれるように、光フィルタ１１の透過帯域を制御してよい。例えば、光フィルタ制御部１４は、光送信器２０によって送信される光信号の中心波長に関する情報を光波長設定部１５から取得し、取得した中心波長に関する情報に基づき、光フィルタ１１を透過する光信号の中心波長を決定してよい。また、光フィルタ制御部１４は、ＤＭＴ光信号の帯域幅やＤＡＣ２２及びＡＤＣ３２サンプリングレートに関する情報に基づいて所要信号帯域を見積もり、光フィルタ１１を透過する光信号の透過帯域を決定してよい。これにより、光フィルタ制御部１４は、光フィルタ１１の透過帯域の下側波帯側及び上側波帯側のエッジを制御してよい。
【０１０６】
光フィルタ制御部１４は、光パワー分析部１３によって光信号のパワーの変化が検出されるまで、光フィルタ１１を透過する光信号の波長帯域の帯域幅を減少（又は増加）させる制御を行なってよい。そして、光フィルタ制御部１４は、光パワー分析部１３によって光パワーの変化が検出されると、光フィルタ１１を透過する信号光の波長帯域の帯域幅を増加（又は減少）させる制御を行なってよい。
【０１０７】
図１３に示す例において、光パワー分析部１３によって光信号のパワーの変化が検出されるまで、光フィルタ制御部１４の制御によって、光フィルタ１１の透過帯域の短波長側のエッジは、エッジ１ａからエッジ１ｂの方向へシフトされる。これにより、光フィルタ１１の透過帯域の帯域幅は減少される。
【０１０８】
図１３に示すエッジ１ｂの相対周波数まで光フィルタ１１の透過帯域の帯域幅が減少されると、光パワー分析部１３は、パワーの変化を検出する。このとき、ＤＭＴ光信号の残留側波帯は、図１１（ｂ）に示したグラフのようになる。
【０１０９】
光パワー分析部１３によるパワーの変化の検出に基づき、光フィルタ制御部１４の制御によって、光フィルタ１１の透過帯域の短波長側のエッジは、エッジ１ｂからエッジ１ｃの方向へシフトされる（別言すれば、戻される）。これにより、光フィルタ１１の透過帯域の帯域幅は増加される。このとき、ＤＭＴ光信号の残留側波帯は図１１（ａ）に示したグラフのようになり、上述した第１実施形態と同様にキャリア成分を含む残留側波帯を得ることができる。
【０１１０】
つまり、制御装置１０は、光伝送システム１の初期設定の際やキャリブレーションの際に、ＤＭＴ光信号の両側波帯が光フィルタ１１を透過できるように、透過帯域の下側波帯側及び上側波帯側のエッジを制御してよい。そして、制御装置１０は、光フィルタ１１を透過した後の光信号のパワーをモニタし、光フィルタ１１の透過した光信号のパワーが大きく減衰する前の状態になるように、光フィルタ１１の透過帯域の下側波帯側又は上側波帯側のエッジを制御してよい。
【０１１１】
このように、第１実施形態の変形例において、光フィルタ制御部１４は、光フィルタ１１を透過する光信号の波長帯域の帯域幅を減少させる。また、光パワー分析部１３は、キャリア成分のパワーとＤＭＴ復調成分のパワーとの強度比により生じるパワーの変化を検出する。そして、光フィルタ制御部１４は、光パワー分析部１３によってパワーの変化が検出された場合に、光フィルタ１１を透過する光信号の波長帯域の帯域幅を増加させる制御を行なう。
【０１１２】
これにより、第１実施形態の変形例においても、上述した第１実施形態と同様の効果を奏することができるとともに、例えば、光フィルタ１１を透過した光信号のキャリア成分を確実に検出することができる。
【０１１３】
〔Ｂ〕第２実施形態
〔Ｂ−１〕システム構成例
第２実施形態の一例において、光フィルタ制御部１４は、例示的に、光フィルタ１１を透過する光信号の周波数帯域のうち一部の周波数帯域における光信号の透過率を相対的に低く設定することにより、光フィルタ１１の透過特性を変化させる。光フィルタ１１の透過特性の変化は、例えば、光伝送システム１の初期設定の際やキャリブレーションの際に行なわれてよい。
【０１１４】
図１４は第２実施形態の光伝送システム１における光フィルタ１１の透過特性及び制御例を説明する図であり、図１５は図１４に例示した光フィルタ１１の制御に応じて検出される光信号のパワーの変化を示す図である。
【０１１５】
図１４に示すように、光フィルタ制御部１４は、光フィルタ１１の中心周波数を制御するための光フィルタ１１の透過特性として、キャリア成分が設定される周波数の付近において、ディップが形成される透過特性を設定してよい。ディップは、光フィルタ１１の透過帯域において、光信号の透過率が相対的に低い。
【０１１６】
光フィルタ制御部１４は、光フィルタ１１の制御を開始する際に、光波長設定部１５によって設定された光送信器２０が送信する光信号の波長に基づき、ディップを形成する波長帯域を設定することにより、透過特性を制御してよい。
【０１１７】
光パワー分析部１３は、光フィルタ１１を透過する光信号のパワーが相対的に低い波長帯域（又は周波数帯域）を検出してよい。
【０１１８】
図１５においては、正規化された光信号のパワー（Normalized Power (a.u.)）と周波数（Detuning (GHz)）とが対応づけられている。光パワー分析部１３は、正規化された光信号のパワーが相対的に低い周波数を検出してよい。
【０１１９】
光フィルタ制御部１４は、光パワー分析部１３によって光信号のパワーが相対的に低い波長帯域（又は周波数帯域）が検出されるまで、ディップを形成した光フィルタ１１の透過特性を変化させる制御を行なってよい。例えば、光フィルタ制御部１４は、光パワー分析部１３によって光信号のパワーが相対的に低い波長帯域が検出されるまで、ディップを形成した光フィルタ１１の透過帯域を長波長側へシフトさせてよい。
【０１２０】
光フィルタ制御部１４は、ディップを形成した光フィルタ１１の透過帯域を一定に保持し、一定に保持した透過帯域においてディップを形成する周波数帯域を変化させることによって、光フィルタ１１の透過特性を制御してよい。また、光フィルタ制御部１４は、ディップを形成した光フィルタ１１の透過帯域に対するディップの相対的な位置を一定に保持し、ディップを形成した光フィルタ１１の透過帯域をシフトさせることによって、光フィルタ１１の透過特性を制御してよい。
【０１２１】
図１４に示す例において相対周波数が約−４０ＧＨｚから約−１０ＧＨｚまでの周波数帯域においてはディップが形成されていないため、図１５に示すように検出される光信号のパワーは約１で一定となる。
【０１２２】
光フィルタ制御部１４は、光パワー分析部１３によって光信号のパワーが相対的に低い波長帯域（又は周波数帯域）が検出されると、検出された波長帯域（又は周波数帯域）を残留側波帯に含むように、光フィルタ１１の透過特性を制御してよい。光フィルタ制御部１４は、例えば、ＤＭＴ光信号の帯域幅やＤＡＣ２２及びＡＤＣ３２のサンプリングレートに関する情報に基づき、所要信号帯域を見積もり、光フィルタ１１の透過帯域の下側波帯側のエッジと上側波帯側のエッジとの差分を制御してよい。
【０１２３】
図１４において相対周波数が約−１０ＧＨｚから約１０ＧＨｚまでの周波数帯域においてはディップが形成されているため、図１５に示すように検出される光信号のパワーは約１から約０．５まで減少する。これにより、光パワー分析部１３によって光信号のパワーの変化が検出されると、図１４に示すように、光フィルタ制御部１４は、光フィルタ１１の透過帯域を、エッジ１からエッジ２までのキャリア成分を含む周波数帯域に制御してよい。そして、ＤＭＴ光信号の残留側波帯は図１１（ａ）に示したグラフのようになり、上述した第１実施形態と同様にキャリア成分を含む残留側波帯を得ることができる。
【０１２４】
このように、第２実施形態において、光フィルタ制御部１４は、光フィルタ１１の透過帯域が光信号の波長帯域において部分的に透過率が相対的に低い帯域を含むように、透過帯域を設定する。また、光パワー分析部１３は、光信号のパワーが相対的に低い波長帯域を検出する。そして、光フィルタ制御部１４は、光パワー分析部１３によって光信号のパワーが相対的に低い波長帯域が検出された場合に、検出された波長帯域が前記残留側波帯成分に含まれるように、光フィルタ１１の透過特性を制御する。
【０１２５】
これにより、第２実施形態においても、上述した第１実施形態と同様の効果を奏することができるとともに、例えば、光信号のパワーの検出感度が向上することにより、キャリア成分の検出精度を向上させることができる。
【０１２６】
〔Ｃ〕第３実施形態
〔Ｃ−１〕システム構成例
第３実施形態において、光フィルタ制御部１４は、例示的に、複数波長の光信号を多重化した波長多重光信号に含まれる複数の光信号のうち、少なくとも一部の光信号に対して、光フィルタ１１の透過特性を制御する。光フィルタ１１の透過特性の制御は、例えば、光伝送システム１の初期設定の際やキャリブレーションの際に行なわれてよい。
【０１２７】
図１６は、第３実施形態の光伝送システム１ａの機能的な構成例を示すブロック図である。
【０１２８】
図１６に示す光伝送システム１ａは、例示的に、複数の光送信器２０と、波長多重器５１と、光フィルタ１１と、波長分離器５２と、制御装置１０と、複数の光受信器３０とを備えてよい。
【０１２９】
各光送信器２０は、互いに異なる波長を有する光信号をそれぞれ送信してよい。
【０１３０】
波長多重器５１は、入力された複数波長の光信号を多重化して出力してよい。例えば、波長多重器５１は、複数の光送信器２０から入力された複数波長の光信号を多重化して波長多重光信号を生成し、生成した波長多重光信号を、光フィルタ１１及び波長分離器５２を介して、複数の光受信器３０へ送信してよい。
【０１３１】
光フィルタ１１は、波長多重器５１によって生成された波長多重光信号を入力されてよい。
【０１３２】
波長分離器５２は、入力された波長多重光信号を分離して、複数波長の光信号を出力してよい。例えば、波長分離器５２は、波長多重器５１から送信された波長多重光信号を、光フィルタ１１を介して受信してよい。そして、波長分離器５２は、受信した波長多重光信号を波長毎に分離し、分離した複数波長の光信号を光受信器３０へ入力してよい。
【０１３３】
各光受信器３０は、波長分離器５２が出力した光信号をそれぞれ受信してよい。
【０１３４】
光パワーモニタ１２は、光フィルタ１１を透過した波長多重光信号のパワーをモニタしてよい。
【０１３５】
図１７は、第３実施形態の光伝送システム１ａにおいて伝送される波長多重光信号のスペクトルを例示する図である。
【０１３６】
図１７に例示するように、波長多重光信号のパワーは、図９に示したＤＭＴ光信号の透過特性のグラフを、相対周波数の軸方向に光送信器２０の数だけ並べることによって表される。図１７においては、光伝送システム１ａにおいて伝送される光信号の波長が４つである例が示されている。
【０１３７】
光フィルタ制御部１４は、光パワーモニタ１２によってモニタされた波長多重光信号に含まれる複数のキャリア成分のうち、１つのキャリア成分（例えば、最も波長が短いキャリア成分）を選択してよい。そして、光フィルタ制御部１４は、選択した１つのキャリア成分について、光フィルタ１１の透過特性を変化させることにより、光フィルタ１１の透過特性を制御してよい。
【０１３８】
図１７に示す例において、光フィルタ制御部１４は、例えば、相対周波数が約５０ＧＨｚであるキャリア成分を選択する。そして、光フィルタ制御部１４は、選択した相対周波数が約５０ＧＨｚであるキャリア成分について、光フィルタ１１の透過特性を変化させることにより、光フィルタ１１の透過特性を制御してよい。
【０１３９】
光パワー分析部１３は、光パワーモニタ１２によってモニタされる波長多重光信号のパワーを分析してよい。光パワー分析部１３は、例えば、光フィルタ制御部１４によって光フィルタ１１の透過特性を変化させたときに光パワーモニタ１２でモニタされるパワーの変化を検出してよい。
【０１４０】
光フィルタ制御部１４は、光パワー分析部１３で検出されたパワーの変化に基づいて識別される信号光のキャリア成分が残留側波帯成分に含まれるように、光フィルタ１１の透過特性を制御してよい。キャリア成分のパワーとＤＭＴ変調成分とのパワー比が大きいため、光フィルタ制御部１４は、複数波長のＤＭＴ光信号の中から１つＤＭＴ光信号についての制御を行なうことができる。
【０１４１】
光フィルタ制御部１４は、１つのキャリア成分についての光フィルタ１１の透過特性の制御が完了した場合に、制御が未完了のキャリア成分を選択してよい。そして、光フィルタ制御部１４は、選択した制御が未完了のキャリア成分についての光フィルタ１１の透過特性の制御を、制御が完了したキャリア成分についての制御と同様に行なってよい。
【０１４２】
図１７に示す例において、光フィルタ制御部１４は、例えば、相対周波数が５０ＧＨｚであるキャリア成分についての相対関係の制御が完了した場合に、制御が未完了で相対周波数が約１５０ＧＨｚであるキャリア成分を選択してよい。そして、光フィルタ制御部１４は、選択した相対周波数が約１５０ＧＨｚであるキャリア成分についての光フィルタ１１の透過特性の制御を、相対周波数が約５０ＧＨｚであるキャリア成分についての制御と同様に行なってよい。光フィルタ制御部１４は、各キャリア成分についての光フィルタ１１の透過帯域を、図１７に例示する破線枠のように設定してよい。
【０１４３】
また、光フィルタ制御部１４は、１つのキャリア成分についての光フィルタ１１の透過特性の制御が完了した場合に、制御が未完了の複数のキャリア成分についての光フィルタ１１の透過特性の制御を一括して行なってもよい。この場合に、光フィルタ制御部１４は、光波長設定部１５から取得している各光送信器２０が送信するキャリア成分の中心周波数に関する情報に基づき、各キャリア成分の周波数間隔を算出してよい。そして、光フィルタ制御部１４は、算出した周波数間隔と、制御が完了済みのキャリア成分における光フィルタ１１の透過特性の調整量とに基づき、制御が未完了のキャリア成分についての光フィルタ１１の透過特性を制御してよい。
【０１４４】
図１７に示す例において、光フィルタ制御部１４は、各光送信器２０が送信するキャリア成分の中心周波数が５０ＧＨｚ、１５０ＧＨｚ、２５０ＧＨｚ及び３５０ＧＨｚであることを示す情報を光波長設定部１５から取得してよい。光フィルタ制御部１４は、取得した情報に基づき、各キャリア成分の周波数間隔が１００ＧＨｚであることを算出してよい。そして、光フィルタ制御部１４は、算出した周波数間隔１００ＧＨｚと、制御が完了した相対周波数が５０ＧＨｚであるキャリア成分における光フィルタ１１の透過特性の調整量とに基づき、相対周波数が１５０ＧＨｚ、２５０ＧＨｚ及び３５０ＧＨｚであるキャリア成分における光フィルタ１１の透過特性を制御する。
【０１４５】
〔Ｃ−２〕動作例
上述の如く構成された第３実施形態の光伝送システム１ａにおける光フィルタ１１の制御例を、図１８及び図１９に示すフローチャート（ステップＳ１１〜Ｓ２４）に従って説明する。なお、図１８にはステップＳ１１〜Ｓ１８の処理を示し、図１９にはステップＳ１９〜Ｓ２４の処理を示す。
【０１４６】
光フィルタ制御部１４は、光波長設定部１５からの複数の光送信器２０が送信する光信号の複数の波長（周波数）に関する情報に基づき、光フィルタ１１の中心波長（中心周波数）を設定する（図１８のステップＳ１１）。
【０１４７】
光パワーモニタ１２は、光フィルタ１１を透過した波長多重光信号のパワーをモニタする（図１８のステップＳ１２）。
【０１４８】
光フィルタ制御部１４は、波長λ１のキャリア成分についての光フィルタ１１の中心波長を一定量ｄずらす（図１８のステップＳ１３）。
【０１４９】
光パワーモニタ１２は、波長λ１のキャリア成分のパワーをモニタする（図１８のステップＳ１４）。
【０１５０】
光パワー分析部１３は、波長λ１のキャリア成分のパワーの変化量が閾値以上であるかを判定する（図１８のステップＳ１５）。
【０１５１】
パワーの変化量が閾値未満である場合には（図１８のステップＳ１５のＮｏルート参照）、処理は図１８のステップＳ１３へ戻る。
【０１５２】
一方、パワーの変化量が閾値以上である場合には（図１８のステップＳ１５のＹｅｓルート参照）、光フィルタ制御部１４は、波長λ１のキャリア成分についての光フィルタ１１の中心波長を一定量ｄ戻す（図１８のステップＳ１６）。
【０１５３】
光フィルタ制御部１４は、波長λ２のキャリア成分についての光フィルタ１１の中心波長を一定量ｄずらす（図１８のステップＳ１７）。
【０１５４】
光パワーモニタ１２は、波長λ２のキャリア成分のパワーをモニタする（図１８のステップＳ１８）。
【０１５５】
光パワー分析部１３は、波長λ２のキャリア成分のパワーの変化量が閾値以上であるかを判定する（図１９のステップＳ１９）。
【０１５６】
パワーの変化量が閾値未満である場合には（図１９のステップＳ１９のＮｏルート参照）、処理は図１８のステップＳ１７へ戻る。
【０１５７】
一方、パワーの変化量が閾値以上である場合には（図１９のステップＳ１９のＹｅｓルート参照）、光フィルタ制御部１４は、波長λ２のキャリア成分についての光フィルタ１１の中心波長を一定量ｄ戻す（図１９のステップＳ２０）。
【０１５８】
その後、制御装置１０は、波長λ３〜λｎ−１のキャリア成分についての光フィルタ１１の中心波長の制御を同様に行なう。
【０１５９】
そして、光フィルタ制御部１４は、波長λｎのキャリア成分についての光フィルタ１１の中心波長を一定量ｄずらす（図１９のステップＳ２１）。
【０１６０】
光パワーモニタ１２は、波長λｎのキャリア成分のパワーをモニタする（図１９のステップＳ２２）。
【０１６１】
光パワー分析部１３は、波長λｎのキャリア成分のパワーの変化量が閾値以上であるかを判定する（図１９のステップＳ２３）。
【０１６２】
パワーの変化量が閾値未満である場合には（図１９のステップＳ２３のＮｏルート参照）、処理は図１９のステップＳ２１へ戻る。
【０１６３】
一方、パワーの変化量が閾値以上である場合には（図１９のステップＳ２３のＹｅｓルート参照）、光フィルタ制御部１４は、波長λｎのキャリア成分についての光フィルタ１１の中心波長を一定量ｄ戻して（図１９のステップＳ２４）、処理は終了する。
【０１６４】
このように、第３実施形態において、光フィルタ制御部１４は、複数波長の光信号を多重化した波長多重光信号に含まれる複数の光信号のうち、少なくとも一部の光信号に対して、光フィルタ１１の透過特性を制御する。
【０１６５】
これにより、第３実施形態においても、上述した第１実施形態と同様の効果を奏することができるとともに、以下の効果を奏することができる。
【０１６６】
波長多重光信号が伝送される光伝送システム１ａにおいて、各波長の光信号についての光フィルタ１１の制御処理を１つの制御装置１０を使用して行なうことができ、光伝送システム１ａの設置コストを低減させることができる。
【０１６７】
従来のＮＲＺ（Non Return to Zero）信号においては、波長多重光信号を一括でモニタし、光フィルタの透過帯域を制御することができなかった。一方、第３実施形態においては、ＤＭＴ光信号が伝送されることにより、波長多重光信号を１つの光パワーモニタ１２によってモニタし、光フィルタの透過帯域を制御することができる。
【０１６８】
〔Ｄ〕第４実施形態
〔Ｄ−１〕システム構成例
第４実施形態において、光フィルタ１１は、例えば、ガウシアン５次３ｄｂ帯域４５ＧＨｚの透過特性を有してよい。
【０１６９】
図２０は第４実施形態の光伝送システム１における光フィルタ１１の制御例を説明する図であり、図２１は図２０に例示した光フィルタ１１の制御に応じて検出される光信号のパワーの変化を示す図である。
【０１７０】
第４実施形態において、光フィルタ１１によって透過される光信号のパワー劣化量（ｄＢ）と、周波数（Detuning）（ＧＨｚ）とを対応づけた、ＤＭＴ光信号の透過特性を図示すると、例えば図２０に示すグラフのようになる。
【０１７１】
光フィルタ制御部１４は、光パワー分析部１３によって光信号のパワーの変化が検出されるまで、光フィルタ１１の透過帯域を制御してよい。光フィルタ制御部１４は、光フィルタ１１を透過する信号光にペナルティが生じない（別言すれば、光信号のパワーが閾値以上になる）範囲において、光フィルタ１１の透過帯域（例えば図２０に示す「ディザリングの範囲」）を制御してよい。別言すれば、光フィルタ制御部１４は、ペナルティが生じない範囲において、光フィルタ１１の透過帯域の最大帯域幅を決定してよい。
【０１７２】
図２０に示す例において、光フィルタ制御部１４は、光フィルタ１１を透過する信号光にペナルティが生じない範囲は光信号のパワー劣化量が約−２ｄＢ（図２０の一点鎖線を参照）以上の範囲であると認識してよい。光フィルタ制御部１４は、認識したペナルティが生じない範囲に基づき、周波数が約１２ＧＨｚから２３ＧＨｚの範囲を、光フィルタ１１の透過帯域（別言すれば、ディザリングの範囲）にする制御を行なってよい。
【０１７３】
光フィルタ制御部１４は、制御した光フィルタ１１の透過帯域の最大帯域幅内において、光フィルタ１１を透過する光信号の中心波長を固定させて、光フィルタ１１の透過帯域をディザリングする（別言すれば、増減又は減少させる）制御を行なってよい。光フィルタ制御部１４は、例示的に、光パワー分析部１３によってパワーの変化が検出されるまで、光フィルタ１１の透過帯域の帯域幅を０から最大帯域幅まで増加させることにより、ディザリングを行なってよい。光フィルタ制御部１４は、設計又は初期設定段階の変化量に基づき、光フィルタの透過帯域の帯域幅を増加又は減少させる量を決定してよい。
【０１７４】
図２１においては、光フィルタ制御部１４によるディザリングが行なわれた場合に、光パワーモニタ１２によってモニタされる光信号のパワーの変化量（ｄＢ）を時間毎に表したグラフが示されている。
【０１７５】
図２１に示す例において、光フィルタ制御部１４は、時間２において、光パワー分析部１３によって光信号のパワーの変化量が極小値（図２１のＸ参照）になったことが検出された際の光フィルタ１１の透過帯域を認識してよい。そして、光フィルタ制御部１４は、時間２において認識した透過帯域において、光フィルタ１１が光信号を透過するように制御を行なってよい。このとき、ＤＭＴ光信号の残留側波帯は図１１（ａ）に示したグラフのようになり、上述した第１実施形態と同様にキャリア成分を含む残留側波帯を得ることができる。
【０１７６】
〔Ｄ−２〕動作例
上述の如く構成された第４実施形態の光伝送システム１における光フィルタ１１の制御例を、図２２及び図２３に示すフローチャート（ステップＳ３１〜Ｓ３９）に従って説明する。なお、図２２にはステップＳ３１〜Ｓ３７の処理を示し、図２３にはステップＳ３８及びＳ３９の処理を示す。
【０１７７】
光フィルタ制御部１４は、光波長設定部１５からの光送信器２０が送信する光信号の波長（周波数）に関する情報に基づき、光フィルタ１１の中心波長（中心周波数）を設定する（図２２のステップＳ３１）。
【０１７８】
光パワーモニタ１２は、光フィルタ１１を透過した光信号のパワーをモニタする（図２２のステップＳ３２）。
【０１７９】
光パワー分析部１３は、パワーの初期値が閾値以上であるか判定する（図２２のステップＳ３３）。
【０１８０】
パワーの初期値が閾値未満である場合には（図２２のステップＳ３３のＮｏルート参照）、処理は図２２のステップＳ３２へ戻る。
【０１８１】
一方、パワーの初期値が閾値以上である場合には（図２２のステップＳ３３のＹｅｓルート参照）、光フィルタ制御部１４は、光フィルタ１１の中心波長を一定量ｄずらす（図２２のステップＳ３４）。
【０１８２】
光パワーモニタ１２は、光フィルタ１１を透過した光信号のパワーをモニタする（図２２のステップＳ３５）。
【０１８３】
光パワー分析部１３は、パワーの変化量が閾値以上であるかを判定する（図２２のステップＳ３６）。
【０１８４】
パワーの変化量が閾値未満である場合には（図２２のステップＳ３６のＮｏルート参照）、処理は図２２のステップＳ３４へ戻る。
【０１８５】
一方、パワーの変化量が閾値以上である場合には（図２２のステップＳ３６のＹｅｓルート参照）、光フィルタ制御部１４は、光フィルタ１１の中心波長を一定量ｄ戻し、光フィルタ１１の透過帯域の最大帯域幅を設定する（図２２のステップＳ３７）。
【０１８６】
光フィルタ制御部１４は、設定した最大帯域幅内において、光フィルタ１１を透過する光信号の中心波長を固定させて、光フィルタ１１の透過帯域を微小変化させる（図２３のステップＳ３８）。
【０１８７】
光フィルタ制御部１４は、パワー変化量が極小になるように、光フィルタ１１の透過帯域を制御して（図２３のステップＳ３９）、処理は終了する。
【０１８８】
このように、第４実施形態の一例において、光フィルタ制御部１４は、光フィルタ１１の透過帯域幅を、光フィルタ１１を透過する光信号のパワーの劣化量が閾値以下となる範囲で変化させる。また、光パワー分析部１３は、光信号のパワーの劣化量の極値が検出することにより、光信号のパワーの変化を検出する。そして、光フィルタ制御部１４は、光信号のパワーの変化が検出されたときの透過帯域を、光フィルタ１１の透過帯域とする。
【０１８９】
これにより、第４実施形態の一例においても、上述した第１実施形態の一例と同様の効果を奏することができるとともに、以下の効果を奏することができる。
【０１９０】
光伝送システム１における光信号の伝送中においても、伝送される光信号に影響を与えずに、光フィルタ１１の制御処理を行なうことができる。
【０１９１】
〔Ｅ〕第５実施形態
〔Ｅ−１〕システム構成例
第５実施形態の一例において、光フィルタ制御部１４は、光フィルタ１１を透過する光信号のパワーを減衰させることにより、光フィルタ１１の透過特性の制御を行なってよい。
【０１９２】
図２４は、第５実施形態の光伝送システム１における光フィルタ１１の制御例を説明する図である。図２４においては、光フィルタ１１の透過特性と光フィルタ１１を透過した光信号のキャリア成分とが模式的に示されている。図２４においては、説明のため２つのキャリア成分が例示されている。
【０１９３】
図２４に示す例において、光フィルタ制御部１４は、光フィルタ１１の透過特性のアッテネータ量（ＡＴＴ量）を固定値である最大ＡＴＴ量から減少させることにより、光フィルタ１１の透過特性のディザリングを行なう。光フィルタ制御部１４は、光伝送システム１を伝送される光信号に影響を与えない程度において、ＡＴＴ量を減少させてよい。
【０１９４】
ＡＴＴ量が減少されると、図２４に示すように、光フィルタ１１の透過特性の傾斜が変化する。これにより、光パワーモニタ１２によってモニタされる図２４に示す２つのキャリア成分のパワーも減衰する。光パワー分析部１３は、光フィルタ１１を透過する光信号のパワーの減衰により生じるキャリア成分のパワーの変化を検出してよい。
【０１９５】
図２４に例示するように、キャリア成分におけるパワーの減衰量は、キャリア成分の波長から光フィルタ１１の中心波長までの距離に依存する。そこで、光フィルタ制御部１４は、光パワー分析部１３によってキャリア成分のパワーの変化が検出されると、キャリア成分のパワーの減衰量と、キャリア成分の波長から光フィルタ１１の中心波長までの距離とに基づき、光フィルタ１１の透過特性を制御してよい。このとき、ＤＭＴ光信号の残留側波帯は図１１（ａ）に示したグラフのようになり、上述した第１実施形態と同様にキャリア成分を含む残留側波帯を得ることができる。
【０１９６】
図２４に例示するように、光フィルタ１１の中心波長の付近においては、ＡＴＴ量をディザリングしても、光フィルタ１１の透過特性の傾斜が変化しない範囲がある。光フィルタ１１の透過特性の傾斜が変化しない範囲に光信号のキャリア成分が存在する場合には、ＡＴＴ量をディザリングしても、光パワー分析部１３は光信号のパワーの減衰を検出することができない。そこで、光フィルタ制御部１４は、光信号のキャリアの周波数と光フィルタ１１の中心周波数との差が所定値以上になるように光フィルタ１１の透過特性を制御した後に、ＡＴＴ量のディザリングを行なってよい。これにより、光信号のキャリア成分はＡＴＴ量のディザリングによって光フィルタ１１の透過特性の傾斜が変化する範囲に含まれ、光パワー分析部１３は光信号のパワーの減衰を検出することができる。
【０１９７】
キャリア成分のパワーの減衰量と、キャリア成分の波長から光フィルタ１１の中心波長までの距離との関係を示す情報は、例えば、制御装置１０に備えられるＲＯＭ（不図示）に格納されてよい。そして、光フィルタ制御部１４は、ＲＯＭに格納された情報を読み出すことにより、光フィルタ１１の透過特性を制御してよい。
【０１９８】
このように、第５実施形態において、光フィルタ制御部１４は、光フィルタ１１を透過する光信号のパワーの減衰量を変化させることにより、光フィルタ１１の透過特性を制御する。また、光パワー分析部１３は、光信号のパワーの減衰量の変化に応じて生じるパワーの変化を検出する。そして、光フィルタ制御部１４は、光信号のパワーの変化が検出された場合に、光信号のパワーの減衰量、及び、光信号のパワーの変化が検出された波長と光フィルタ１１を透過する光信号の中心波長との差に基づいて、光フィルタ１１の透過特性を制御する。
【０１９９】
これにより、第５実施形態においても、上述した第１実施形態と同様の効果を奏することができるとともに、以下の効果を奏することができる。
【０２００】
光伝送システム１を伝送される光信号に影響を与えない程度においてＡＴＴ量を減少させることにより、光伝送システム１における光信号の伝送中においても、伝送される光信号に影響を与えずに、光フィルタ１１の制御処理を行なうことができる。
【０２０１】
〔Ｆ〕その他
開示の技術は上述した各実施形態に限定されるものではなく、各実施形態の趣旨を逸脱しない範囲で種々変形して実施することができる。各実施形態の各構成及び各処理は、必要に応じて取捨選択することができ、あるいは適宜組み合わせてもよい。例えば、上述した第３実施形態は、第１実施形態、第１実施形態の変形例、第２実施形態、第４実施形態又は第５実施形態と組み合わせることができる。
【０２０２】
例えば、上述した各実施形態において、光フィルタ制御部１４は、透過特性をプログラマブルに変化可能な光フィルタ１１を制御して光信号スペクトルの整形を粗く行なうことにより、光フィルタ１１の透過特性を制御してもよい。その後、光フィルタ制御部１４は、光信号の発振波長を温度制御又は注入電流の制御によって調整し、光信号スペクトルの整形の微調整を行なうことにより、光フィルタ１１の透過特性を制御してもよい。
【０２０３】
例えば、上述した各実施形態において、光フィルタ制御部１４は、光フィルタ１１の周辺の温度変化をトラッキングすることにより、光フィルタ１１の透過特性を制御してもよい。光フィルタ制御部１４は、温度変化に基づき、光フィルタ１１の透過特性を波長方向又はパワー方向へディザリングすることにより、光フィルタ１１の透過特性を制御してもよい。これにより、光伝送システム１、１ａの運用中においても、光フィルタ１１の制御を行なうことができる。
【０２０４】
〔Ｇ〕付記
（付記１）
ＤＭＴ（Discrete Multi-tone）駆動信号によって変調した光信号を送信する光送信器と、
前記光信号が入力される波長可変光フィルタと、
前記波長可変光フィルタを透過した光信号のパワーをモニタするパワーモニタと、
前記波長可変光フィルタの透過特性を制御する制御部と、
前記制御部によって前記透過特性を変化させたときに前記パワーモニタでモニタされるパワーの変化を検出する検出部と、を備え、
前記制御部は、
前記検出部で検出された前記パワーの変化に基づいて前記光信号のキャリア成分を識別し、該キャリア成分を含み、かつ、前記光信号の上側波帯及び下側波帯のいずれか一方の少なくとも一部を前記波長可変光フィルタで除去するように、前記波長可変光フィルタの透過特性と前記キャリア成分の周波数との相対関係を制御する、光伝送システム。
【０２０５】
（付記２）
前記相対関係の制御は、
一定の帯域幅を有し、前記波長可変光フィルタを透過する光信号の波長帯域を長波長側にシフトさせ、
前記検出部によって前記キャリア成分のパワーと前記波長可変光フィルタを透過した信号光の成分うち前記キャリア成分以外の成分であるＤＭＴ変調成分のパワーとの強度比により生じる前記パワーの変化が検出された場合に、前記波長可変光フィルタを透過する光信号の波長帯域を短波長側にシフトさせる制御である、付記１に記載の光伝送システム。
【０２０６】
（付記３）
前記相対関係の制御は、
前記波長可変光フィルタを透過する光信号の波長帯域の帯域幅を減少させ、
前記検出部によって前記キャリア成分のパワーと前記波長可変光フィルタを透過した信号光の成分うち前記キャリア成分以外の成分であるＤＭＴ変調成分のパワーとの強度比により生じる前記パワーの変化が検出された場合に、前記光フィルタを透過する光信号の波長帯域の帯域幅を増加させる制御である、付記１に記載の光伝送システム。
【０２０７】
（付記４）
前記透過特性の制御は、前記波長可変光フィルタの透過帯域が前記光信号の波長帯域において部分的に透過率が相対的に低い帯域を含むように、前記透過帯域を設定する制御であり、
前記相対関係の制御は、前記検出部によって前記波長可変光フィルタを透過する光信号のパワーが相対的に低い波長帯域が検出された場合に、当該波長帯域が前記除去によって得られる残留側波帯に含まれるようにする制御である、付記１に記載の光伝送システム。
【０２０８】
（付記５）
前記相対関係の制御は、前記波長可変光フィルタの透過帯域幅を、前記波長可変光フィルタを透過する光信号のパワーの劣化量が閾値以下となる範囲で変化させた場合に、前記検出部によって前記劣化量の極値が検出されることにより前記パワーの変化が検出されたときの透過帯域を、前記波長可変光フィルタの透過帯域とする制御である、付記１に記載の光伝送システム。
【０２０９】
（付記６）
前記透過特性の制御は、前記波長可変光フィルタを透過する光信号のパワーの減衰量を変化させる制御であり、
前記相対関係の制御は、前記検出部によって前記減衰量の変化に応じて生じる前記パワーの変化が検出された場合に、前記減衰量、及び、前記パワーの変化が検出された波長と前記波長可変光フィルタを透過する光信号の中心波長との差に基づいて行なわれる、付記１に記載の光伝送システム。
【０２１０】
（付記７）
複数波長の前記光信号を送信する複数の前記光送信器と、
前記複数の光送信器から送信された複数の光信号を多重化して波長多重光信号を生成する波長多重器と、を更に備え、
前記波長可変フィルタは、生成された前記波長多重光信号を入力され、
前記相対関係の制御は、前記波長多重光信号に含まれる前記複数の光信号のうち、少なくとも一部の光信号に対する制御である、付記１〜６のいずれか１項に記載の光伝送システム。
【０２１１】
（付記８）
ＤＭＴ（Discrete Multi-tone）駆動信号によって変調された光信号が入力される波長可変光フィルタの制御装置であって、
前記波長可変光フィルタを透過した光信号のパワーをモニタするパワーモニタと、
前記波長可変光フィルタの透過特性を制御する制御部と、
前記制御部によって前記透過特性を変化させたときに前記パワーモニタでモニタされるパワーの変化を検出する検出部と、を備え、
前記制御部は、
前記検出部で検出された前記パワーの変化に基づいて前記光信号のキャリア成分を識別し、該キャリア成分を含み、かつ、前記光信号の上側波帯及び下側波帯のいずれか一方の少なくとも一部を前記波長可変光フィルタで除去するように、前記波長可変光フィルタの透過特性と前記キャリア成分の周波数との相対関係を制御する、波長可変光フィルタの制御装置。
【０２１２】
（付記９）
前記相対関係の制御は、
一定の帯域幅を有し、前記波長可変光フィルタを透過する光信号の波長帯域を長波長側にシフトさせ、
前記検出部によって前記キャリア成分のパワーと前記波長可変光フィルタを透過した光信号の成分うち前記キャリア成分以外の成分であるＤＭＴ変調成分のパワーとの強度比により生じる前記パワーの変化が検出された場合に、前記波長可変光フィルタを透過する光信号の波長帯域を短波長側にシフトさせる制御である、付記８に記載の波長可変光フィルタの制御装置。
【０２１３】
（付記１０）
前記相対関係の制御は、
前記波長可変光フィルタを透過する光信号の波長帯域の帯域幅を減少させ、
前記検出部によって前記キャリア成分のパワーと前記波長可変光フィルタを透過した光信号の成分うち前記キャリア成分以外の成分であるＤＭＴ変調成分のパワーとの強度比により生じる前記パワーの変化が検出された場合に、前記光フィルタを透過する光信号の波長帯域の帯域幅を増加させる制御である、付記８に記載の波長可変光フィルタの制御装置。
【０２１４】
（付記１１）
前記透過特性の制御は、前記波長可変光フィルタの透過帯域が前記光信号の波長帯域において部分的に透過率が相対的に低い帯域を含むように、前記透過帯域を設定する制御であり、
前記相対関係の制御は、前記検出部によって前記波長可変光フィルタを透過する光信号のパワーが相対的に低い波長帯域が検出された場合に、当該波長帯域が前記除去によって得られる残留側波帯に含まれるようにする制御である、付記８に記載の波長可変光フィルタの制御装置。
【０２１５】
（付記１２）
前記相対関係の制御は、前記波長可変光フィルタの透過帯域幅を、前記波長可変光フィルタを透過する光信号のパワーの劣化量が閾値以下となる範囲で変化させた場合に、前記検出部によって前記劣化量の極値が検出されることにより前記パワーの変化が検出されたときの透過帯域を、前記波長可変光フィルタの透過帯域とする制御である、付記８に記載の波長可変光フィルタの制御装置。
【０２１６】
（付記１３）
前記透過特性の制御は、前記波長可変光フィルタを透過する光信号のパワーの減衰量を変化させる制御であり、
前記相対関係の制御は、前記検出部によって前記減衰量の変化に応じて生じる前記パワーの変化が検出された場合に、前記減衰量、及び、前記パワーの変化が検出された波長と前記波長可変光フィルタを透過する光信号の中心波長との差に基づいて行なわれる、付記８に記載の波長可変光フィルタの制御装置。
【０２１７】
（付記１４）
前記相対関係の制御は、複数波長の前記光信号を多重化した波長多重光信号に含まれる前記複数の光信号のうち、少なくとも一部の光信号に対する制御である、付記８〜１３のいずれか１項に記載の波長可変光フィルタの制御装置。
【０２１８】
（付記１５）
ＤＭＴ（Discrete Multi-tone）駆動信号によって変調された光信号が入力される波長可変光フィルタの制御装置による制御方法であって、
前記波長可変光フィルタを透過した光信号のパワーをモニタし、
前記波長可変光フィルタの透過特性を制御し、
前記透過特性を変化させたときにモニタされるパワーの変化を検出し、
検出された前記パワーの変化に基づいて前記光信号のキャリア成分を識別し、該キャリア成分を含み、かつ、前記光信号の上側波帯及び下側波帯のいずれか一方の少なくとも一部を前記波長可変光フィルタで除去するように、前記波長可変光フィルタの透過特性と前記キャリア成分の周波数との相対関係を制御する、制御方法。
【０２１９】
（付記１６）
前記相対関係の制御は、
一定の帯域幅を有し、前記波長可変光フィルタを透過する光信号の波長帯域を長波長側にシフトさせ、
前記キャリア成分のパワーと前記波長可変光フィルタを透過した光信号の成分うち前記キャリア成分以外の成分であるＤＭＴ変調成分のパワーとの強度比により生じる前記パワーの変化が検出された場合に、前記波長可変光フィルタを透過する光信号の波長帯域を短波長側にシフトさせる制御である、付記１５に記載の制御方法。
【０２２０】
（付記１７）
前記相対関係の制御は、
前記波長可変光フィルタを透過する光信号の波長帯域の帯域幅を減少させ、
前記キャリア成分のパワーと前記波長可変光フィルタを透過した光信号の成分うち前記キャリア成分以外の成分であるＤＭＴ変調成分のパワーとの強度比により生じる前記パワーの変化が検出された場合に、前記光フィルタを透過する光信号の波長帯域の帯域幅を増加させる制御である、付記１５に記載の制御方法。
【０２２１】
（付記１８）
前記透過特性の制御は、前記波長可変光フィルタの透過帯域が前記光信号の波長帯域において部分的に透過率が相対的に低い帯域を含むように、前記透過帯域を設定する制御であり、
前記相対関係の制御は、前記波長可変光フィルタを透過する光信号のパワーが相対的に低い波長帯域が検出された場合に、当該波長帯域が前記除去によって得られる残留側波帯に含まれるようにする制御である、付記１５に記載の制御方法。
【０２２２】
（付記１９）
前記相対関係の制御は、前記波長可変光フィルタの透過帯域幅を、前記波長可変光フィルタを透過する光信号のパワーの劣化量が閾値以下となる範囲で変化させた場合に、前記劣化量の極値が検出されることにより前記パワーの変化が検出されたときの透過帯域を、前記波長可変光フィルタの透過帯域とする制御である、付記１５に記載の制御方法。
【０２２３】
（付記２０）
前記透過特性の制御は、前記波長可変光フィルタを透過する光信号のパワーの減衰量を変化させる制御であり、
前記相対関係の制御は、前記検出部によって前記減衰量の変化に応じて生じる前記パワーの変化が検出された場合に、前記減衰量、及び、前記パワーの変化が検出された波長と前記波長可変光フィルタを透過する光信号の中心波長との差に基づいて行なわれる、付記１５に記載の制御方法。
【０２２４】
（付記２１）
前記相対関係の制御は、複数波長の前記光信号を多重化した波長多重光信号に含まれる前記複数の光信号のうち、少なくとも一部の光信号に対する制御である、付記１５〜２０のいずれか１項に記載の制御方法。
【符号の説明】
【０２２５】
１    光伝送システム
１ａ  光伝送システム
１０  制御装置
１１  光フィルタ
１２  光パワーモニタ
１３  光パワー分析部
１４  光フィルタ制御部
１５  光波長設定部
２０  光送信器
２１  ＤＭＴ変調部
２２  ＤＡＣ
２３  Ｅ／Ｏモジュール
３０  光受信器
３１  Ｏ／Ｅモジュール
３２  ＡＤＣ
３３  ＤＭＴ復調部
４    光伝送路
５１  波長多重器
５２  波長分離器
【図１】
0006613761.tif 000003
【図２】
0006613761.tif 000004
【図３】
0006613761.tif 000005
【図４】
0006613761.tif 000006
【図５】
0006613761.tif 000007
【図６】
0006613761.tif 000008
【図７】
0006613761.tif 000009
【図８】
0006613761.tif 000010
【図９】
0006613761.tif 000011
【図１０】
0006613761.tif 000012
【図１１】
0006613761.tif 000013
【図１２】
0006613761.tif 000014
【図１３】
0006613761.tif 000015
【図１４】
0006613761.tif 000016
【図１５】
0006613761.tif 000017
【図１６】
0006613761.tif 000018
【図１７】
0006613761.tif 000019
【図１８】
0006613761.tif 000020
【図１９】
0006613761.tif 000021
【図２０】
0006613761.tif 000022
【図２１】
0006613761.tif 000023
【図２２】
0006613761.tif 000024
【図２３】
0006613761.tif 000025
【図２４】
0006613761.tif 000026